(57)【要約】【課題】  広告主が、コストを削減しつつ、所望の顧客に所望の枚数の広告を発送可能とする。【解決手段】  一実施形態に係る広告マッチング装置は、複数の顧客の顧客情報を有する主広告主が発送する主広告の主広告情報を記憶する主広告情報記憶部と、副広告主が発送する副広告の副広告情報を記憶する副広告情報記憶部と、前記主広告主から登録された前記主広告の広告画像と、前記副広告主から登録された前記副広告の広告画像と、を記憶する広告画像記憶部と、共に発送する前記主広告及び前記副広告が選択された場合、前記主広告の発送枚数のうち前記副広告の発送枚数だけ、前記主広告の広告画像と、前記副広告の広告画像と、前記顧客情報と、を含む印刷画像を生成し、前記主広告の残りの発送枚数だけ、前記主広告の広告画像と、前記顧客情報と、を含む印刷画像を生成する印刷画像生成部と、を備える。【選択図】  図３
2019040312.tif 000002
【特許請求の範囲】
【請求項１】
複数の顧客の顧客情報を有する主広告主が発送する主広告の主広告情報を記憶する主広告情報記憶部と、
副広告主が発送する副広告の副広告情報を記憶する副広告情報記憶部と、
前記主広告主から登録された前記主広告の広告画像と、前記副広告主から登録された前記副広告の広告画像と、を記憶する広告画像記憶部と、
共に発送する前記主広告及び前記副広告が選択された場合、前記主広告の発送枚数のうち前記副広告の発送枚数だけ、前記主広告の広告画像と、前記副広告の広告画像と、前記顧客情報と、を含む印刷画像を生成し、前記主広告の残りの発送枚数だけ、前記主広告の広告画像と、前記顧客情報と、を含む印刷画像を生成する印刷画像生成部と、
を備える広告マッチング装置。
【請求項２】
前記主広告主から入力された検索条件を満たす前記副広告情報を有する前記副広告を検索し、当該主広告主に提示する第１検索部を更に備え、
当該主広告主の前記主広告と共に発送される前記副広告は、前記第１検索部により提示された前記副広告の中から、当該主広告主により選択可能である
請求項１に記載の広告マッチング装置。
【請求項３】
前記主広告情報及び前記副広告情報に基づいて、前記主広告に類似する前記副広告を前記主広告主にレコメンドする第１レコメンド部を更に備える、
当該主広告主の前記主広告と共に発送される前記副広告は、前記第１レコメンド部によりレコメンドされた前記副広告の中から、当該主広告主により選択可能である
請求項１又は請求項２に記載の広告マッチング装置。
【請求項４】
前記副広告主から入力された検索条件を満たす前記主広告情報を有する前記主広告を検索し、当該副広告主に提示する第２検索部を更に備え、
当該副広告主の前記副広告と共に発送される前記主広告は、前記第２検索部により提示された前記主広告の中から、当該副広告主により選択可能である
請求項１から請求項３までのいずれか１項に記載の広告マッチング装置。
【請求項５】
前記主広告情報及び前記副広告情報に基づいて、前記副広告に類似する前記主広告を前記副広告主にレコメンドする第２レコメンド部を更に備える、
当該副広告主の前記副広告と共に発送される前記主広告は、前記第２レコメンド部によりレコメンドされた前記主広告の中から、当該副広告主により選択可能である
請求項１から請求項４までのいずれか１項に記載の広告マッチング装置。
【請求項６】
前記主広告情報は、前記主広告の識別情報、前記主広告主の識別情報、前記主広告主の名称、前記主広告の宛先エリア、前記主広告の発送枚数、前記主広告の発送日、前記主広告の用紙種別、前記主広告のページ数、前記主広告の広告内容、前記主広告主の業種、前記主広告を発送する前記顧客の顧客属性、及び広告郵便物として承認の有無の少なくとも１つを含む
請求項１から請求項５までのいずれか１項に記載の広告マッチング装置。
【請求項７】
前記副広告情報は、前記副広告の識別情報、前記副広告主の識別情報、前記副広告主の名称、前記副広告の宛先エリア、前記副広告の発送枚数、前記副広告の発送期限、前記副広告の用紙種別、前記副広告のページ数、前記副広告の広告内容、前記副広告のサイズ、前記副広告主の業種、前記副広告主が前記副広告を発送する前記顧客の顧客属性、及び広告郵便物としての承認の有無の少なくとも１つを含む
請求項１から請求項６までのいずれか１項に記載の広告マッチング装置。
【請求項８】
前記印刷画像生成部は、前記主広告と共に発送する前記副広告が選択され、かつ、当該主広告及び当該副広告がいずれも葉書である場合、前記主広告の発送枚数のうち前記副広告の発送枚数だけ、前記主広告の広告画像と、前記副広告の広告画像と、前記顧客情報と、を含む圧着ハガキ用の印刷画像を生成する
請求項１から請求項７までのいずれか１項に記載の広告マッチング装置。
【請求項９】
請求項１から請求項８までのいずれか１項に記載の広告マッチング装置と、
前記複数の顧客の前記顧客情報を記憶する顧客情報記憶部を備え、前記主広告主が前記主広告情報を登録するための主広告端末と、
前記副広告主が前記副広告情報を登録するための副広告端末と、
前記印刷画像を印刷する印刷装置と、
を備える広告マッチングシステム。
【発明の詳細な説明】
【技術分野】
【０００１】
本発明は、広告マッチング装置及び広告マッチングシステムに関する。
【背景技術】
【０００２】
紙の広告を顧客に発送する広告主には、できるだけ送料などのコストをかけずに広告を発送したいという要望がある。このような要望に応えるために、従来、同一の宛先への広告の発送を希望する広告主の広告をマッチングし、複数の広告をまとめて発送することにより、各広告のコストを削減する方法が提案されている。
【先行技術文献】
【特許文献】
【０００３】
【特許文献１】特開２００２−３５１９２３号公報
【特許文献２】特開２０１３−９７５２８号公報
【発明の概要】
【発明が解決しようとする課題】
【０００４】
しかしながら、上記従来の方法では、広告の宛先が一致するか否かという単純なマッチングしかできなかった。また、各広告の発送枚数を調整することができなかった。このため、上記従来の方法では、広告主は、コストは削減できるものの、所望の顧客に所望の枚数の広告を発送することができなかった。
【０００５】
本発明は、上記の課題に鑑みてなされたものであり、広告主が、コストを削減しつつ、所望の顧客に所望の枚数の広告を発送可能とすることを目的とする。
【課題を解決するための手段】
【０００６】
一実施形態に係る広告マッチング装置は、複数の顧客の顧客情報を有する主広告主が発送する主広告の主広告情報を記憶する主広告情報記憶部と、副広告主が発送する副広告の副広告情報を記憶する副広告情報記憶部と、前記主広告主から登録された前記主広告の広告画像と、前記副広告主から登録された前記副広告の広告画像と、を記憶する広告画像記憶部と、共に発送する前記主広告及び前記副広告が選択された場合、前記主広告の発送枚数のうち前記副広告の発送枚数だけ、前記主広告の広告画像と、前記副広告の広告画像と、前記顧客情報と、を含む印刷画像を生成し、前記主広告の残りの発送枚数だけ、前記主広告の広告画像と、前記顧客情報と、を含む印刷画像を生成する印刷画像生成部と、を備える。
【発明の効果】
【０００７】
本発明の各実施形態によれば、広告主は、コストを削減しつつ、所望の顧客に所望の枚数の広告を発送できる。
【図面の簡単な説明】
【０００８】
【図１】広告マッチングシステムの構成の一例を示す図。
【図２】広告マッチング装置のハードウェア構成の一例を示す図。
【図３】広告マッチングシステムの機能構成の一例を示す図。
【図４】顧客情報の一例を示すテーブル。
【図５】主広告情報の一例を示すテーブル。
【図６】副広告情報の一例を示すテーブル。
【図７】送料の削減について説明する図。
【図８】主広告の登録処理の一例を示すシーケンス図。
【図９】副広告の登録処理の一例を示すシーケンス図。
【図１０】主広告と共に発送する副広告の選択処理の一例を示すシーケンス図。
【図１１】印刷処理の一例を示すシーケンス図。
【図１２】広告マッチング装置の機能構成の一例を示す図。
【図１３】主広告と共に発送する副広告の選択処理の一例を示すシーケンス図。
【図１４】広告マッチング装置の機能構成の一例を示す図。
【図１５】副広告と共に発送する主広告の選択処理の一例を示すシーケンス図。
【図１６】広告マッチング装置の機能構成の一例を示す図。
【図１７】副広告と共に発送する主広告の選択処理の一例を示すシーケンス図。
【発明を実施するための形態】
【０００９】
以下、本発明の各実施形態について、添付の図面を参照しながら説明する。なお、各実施形態に係る明細書及び図面の記載に関して、実質的に同一の機能構成を有する構成要素については、同一の符号を付することにより重畳した説明を省略する。
【００１０】
＜第１実施形態＞
第１実施形態に係る広告マッチングシステム１００について、図１〜図１１を参照して説明する。広告マッチングシステム１００は、複数の広告主からの広告の登録を受け付け、登録された広告を、各広告の発送枚数を考慮してマッチングし、マッチングされた広告を共に発送可能とするシステムである。
【００１１】
まず、広告マッチングシステム１００の構成について説明する。図１は、広告マッチングシステム１００の構成の一例を示す図である。図１の広告マッチングシステム１００は、主広告主端末１Ａ〜１Ｃと、副広告主端末２Ａ〜２Ｃと、広告マッチング装置３と、印刷装置４と、を備える。主広告主端末１、副広告主端末２、広告マッチング装置３、及び印刷装置４は、ネットワークＮを介して接続されている。ネットワークＮは、ＬＡＮ（Local Area Network）やインターネットを含むネットワークである。
【００１２】
主広告主端末１Ａ〜１Ｃは、それぞれ主広告主が所有するコンピュータである。主広告主端末１Ａ〜１Ｃは、ＰＣ（Personal Computer）、タブレット端末、又はスマートフォンであるが、これに限られない。以下、主広告主端末１Ａ〜１Ｃを区別しない場合、主広告主端末１と称する。なお、広告マッチングシステム１００に含まれる主広告主端末１の数は任意である。
【００１３】
主広告主は、広告マッチングシステム１００を利用する広告主のうち、広告マッチング装置３に広告の宛先を提供する広告主である。主広告主は、自身が所有する主広告主端末１を利用して自身の広告を広告マッチング装置３に登録する。主広告主が登録した広告は、主広告主が提供した宛先に発送される。以下、主広告主が登録した広告を主広告と称する。
【００１４】
副広告主端末２Ａ〜２Ｃは、それぞれ副広告主が所有するコンピュータである。副広告主端末２Ａ〜２Ｃは、ＰＣ、タブレット端末、又はスマートフォンであるが、これに限られない。以下、副広告主端末２Ａ〜２Ｃを区別しない場合、副広告主端末２と称する。なお、広告マッチングシステム１００に含まれる副広告主端末２の数は任意である。
【００１５】
副広告主は、広告マッチングシステム１００を利用する広告主のうち、広告マッチング装置３に広告の宛先を提供しない広告主である。副広告主は、自身が所有する副広告主端末２を利用して自身の広告を広告マッチング装置３に登録する。副広告主が登録した広告は、いずれかの主広告主が提供した宛先に発送される。以下、副広告主が登録した広告を副広告と称する。
【００１６】
広告マッチング装置３は、主広告主から登録された主広告と、副広告主から登録された副広告と、をマッチングするコンピュータである。広告マッチング装置３は、ＰＣ又はサーバであるが、これに限られない。広告マッチング装置３は、複数のコンピュータからなるシステムとして実現されてもよい。
【００１７】
印刷装置４は、広告マッチング装置３からの要求に応じて、広告マッチング装置３に登録された主広告及び副広告を印刷する装置である。広告マッチングシステム１００には、複数の印刷装置４が含まれてもよい。また、印刷装置４は、ネットワークＮを介さずに広告マッチング装置３に直接接続されていてもよい。
【００１８】
次に、広告マッチングシステム１００のハードウェア構成について説明する。図２は、広告マッチング装置３のハードウェア構成の一例を示す図である。図２の例では、広告マッチング装置３が１つのコンピュータにより構成される場合を想定している。図２の広告マッチング装置３は、ＣＰＵ（Central Processing Unit）３０１と、ＲＯＭ（Read Only Memory）３０２と、ＲＡＭ（Random Access Memory）３０３と、ＨＤＤ（Hard Disk Drive）３０４と、を備える。また、広告マッチング装置３は、入力装置３０５と、表示装置３０６と、通信インタフェース３０７と、システムバス３０８と、を備える。
【００１９】
ＣＰＵ３０１は、プログラムを実行することにより、広告マッチング装置３の各構成を制御し、広告マッチング装置３の機能を実現する。
【００２０】
ＲＯＭ３０２は、ＣＰＵ３０１が実行するプログラム（ＢＩＯＳ（Basic Input Output System）など）や各種のデータを記憶する。
【００２１】
ＲＡＭ３０３は、ＣＰＵ３０１に作業領域を提供する。
【００２２】
ＨＤＤ３０４は、ＣＰＵ３０１が実行するプログラム（ＯＳ（Operating System）など）や各種のデータを記憶する。
【００２３】
入力装置３０５は、ユーザの操作に応じた情報を広告マッチング装置３に入力する。入力装置３０５は、タッチパネル、キーボード、マウス、又はハードウェアボタンであるが、これに限られない。
【００２４】
表示装置３０６は、ユーザの操作に応じた画面を表示する。表示装置３０６は、液晶ディスプレイ、有機ＥＬ（Electro Luminescence）ディスプレイ、又はプラズマディスプレイであるが、これに限ら得ない。
【００２５】
通信インタフェース３０７は、広告マッチング装置３をネットワークＮに接続するインタフェースである。広告マッチング装置３は、通信インタフェース３０７を介して、主広告主端末１、副広告主端末２、及び印刷装置４を含む外部装置と通信する。
【００２６】
システムバス３０８は、ＣＰＵ３０１、ＲＯＭ３０２、ＲＡＭ３０３、ＨＤＤ３０４、入力装置３０５、表示装置３０６、及び通信インタフェース３０７を相互に接続する。
【００２７】
なお、広告マッチング装置３のハードウェア構成は、図２の例に限られない。例えば、広告マッチング装置３は、各種の周辺機器を備えてもよい。また、主広告主端末１及び副広告主端末２のハードウェア構成は、広告マッチング装置３と同様であるため、説明を省略する。
【００２８】
次に、広告マッチングシステム１００の機能構成について説明する。図３は、広告マッチングシステム１００の機能構成の一例を示す図である。
【００２９】
図３の主広告主端末１は、顧客情報記憶部１１を備える。顧客情報記憶部１１は、主広告主端末１のＨＤＤなどにより実現される。
【００３０】
顧客情報記憶部１１は、複数の顧客の顧客情報を記憶するＤＢ（Data Base）である。顧客情報は、顧客ＩＤ、氏名、住所、連絡先、及び顧客属性を含む。顧客ＩＤは、顧客の識別情報である。連絡先は、Ｅメールアドレス、電話番号、及びファックス番号の少なくとも１つを含む。顧客属性は、年齢、性別、職業、趣味、家族構成、購入履歴、及びサービス利用履歴の少なくとも１つを含む。
【００３１】
図４は、顧客情報記憶部１１に記憶された顧客情報の一例を示すテーブルである。図４の各レコードが、各顧客の顧客情報に相当する。図４の例では、連絡先は、電話番号であり、顧客属性は、年齢、性別、及び趣味である。例えば、１行目の顧客の顧客ＩＤは、Ｕ１であり、氏名はＡＡＡであり、住所は東京都であり、電話番号はaa-aaaa-aaaaであり、年齢は３０歳であり、性別は男性であり、趣味はゴルフである。
【００３２】
主広告主は、図４のような顧客情報を参照して、主広告を発送する顧客を選択し、選択した顧客の顧客情報の少なくとも一部を、主広告の宛先情報として広告マッチング装置３に提供する。宛先情報は、顧客の氏名及び住所を含むが、これに限られない。宛先情報に含まれる顧客の住所は、主広告の宛先に相当する。例えば、主広告主は、ゴルフ用品を宣伝する広告を発送する場合、顧客情報を参照して、趣味がゴルフである顧客を選択し、当該顧客の氏名及び住所（宛先）を、広告マッチング装置３に提供する。
【００３３】
図３の広告マッチング装置３は、制御部３１と、主広告情報記憶部３２と、副広告情報記憶部３３と、広告画像記憶部３４と、第１検索部３５と、印刷画像生成部３６と、印刷画像記憶部３７と、を備える。制御部３１、第１検索部３５、及び印刷画像生成部３６は、ＣＰＵ３０１がプログラムを実行し、他の構成と協働することにより実現される。主広告情報記憶部３２、副広告情報記憶部３３、広告画像記憶部３４、及び印刷画像記憶部３７は、ＨＤＤ３０４により実現される。
【００３４】
制御部３１は、広告マッチング装置３の全体の動作を制御する。具体的には、制御部３１は、主広告及び副広告の登録や、後述する印刷画像の印刷装置４への送信を行う。制御部３１の動作について、詳しくは後述する。
【００３５】
主広告情報記憶部３２は、主広告主から登録された主広告の広告情報（以下「主広告情報」という。）を記憶する。主広告情報は、主広告に関する情報であり、主広告主により登録される。主広告情報は、主広告ＩＤ、主広告主ＩＤ、主広告主の名称、主広告の宛先エリア、主広告の発送枚数、主広告の発送日、主広告の用紙種別、主広告のページ数、主広告の広告内容、主広告主の業種、主広告を発送する顧客の顧客属性、及び広告郵便物としての承認の有無、の少なくとも１つを含む。
【００３６】
主広告ＩＤは、主広告の識別情報である。主広告主ＩＤは、主広告主の識別情報である。主広告の宛先エリアは、主広告の宛先（主広告を発送する顧客の住所）を含むエリアである。主広告の広告内容は、主広告により宣伝されるサービス、商品、又は営業活動を示す情報である。広告郵便物としての承認の有無は、配送業者に主広告が広告郵便物として承認されているか否かを示す情報である。主広告主が配送業者に主広告を広告郵便物として申請すると、主広告は、広告郵便物としての要件を満たすか否か配送業者により審査される。配送業者により主広告が広告郵便物として承認されると、主広告の送料は割引される。
【００３７】
図５は、主広告情報記憶部３２に記憶された主広告情報の一例を示すテーブルである。図５の各レコードが、各種広告の主広告情報に相当する。図４の主広告情報には、主広告ＩＤ、主広告主ＩＤ、宛先エリア、発送枚数、発送日、用紙種別、ページ数、広告内容、顧客の趣味（顧客属性）、及び広告郵便物としての承認の有無が含まれる。例えば、図５の１行目の主広告の主広告ＩＤはｍａ１であり、主広告主ＩＤはＭＡ１であり、宛先エリアは関東であり、発送枚数は１０００枚であり、発送日は８／３１であり、用紙種別は葉書であり、ページ数は２ページである。また、広告内容はゴルフ用品であり、発送する顧客の趣味はゴルフであり、広告郵便物の承認は有（承認済み）である。
【００３８】
図５の例のように、主広告情報記憶部３２は、複数の主広告主から登録された複数の主広告の主広告情報を記憶する。各主広告主は、１つ又は複数の主広告の主広告情報を登録することができる。以下、主広告ＩＤがｍａｘである主広告を主広告ｍａｘと称する。また、主広告主ＩＤがＭＡＸである主広告主を、主広告主ＭＡＸと称する。
【００３９】
副広告情報記憶部３３は、副広告主から登録された副広告の広告情報（以下「副広告情報」という。）を記憶する。副広告情報は、副広告に関する情報であり、副広告主により登録される。副広告情報は、副広告ＩＤ、副広告主ＩＤ、副広告主の名称、副広告の宛先エリア、副広告の発送枚数、副広告の発送期限、副広告の用紙種別、副広告のページ数、副広告の広告内容、副広告のサイズ、副広告主の業種、副広告主が副広告を発送する顧客の顧客属性、及び広告郵便物としての承認の有無、の少なくとも１つを含む。
【００４０】
副広告ＩＤは、副広告の識別情報である。副広告主ＩＤは、副広告主の識別情報である。副広告の広告内容は、副広告により宣伝されるサービス、商品、又は営業活動を示す情報である。副広告のサイズは、副広告が用紙種別に依存しないサイズの広告（例えば、クーポンや割引券など）である場合に登録される。広告郵便物としての承認の有無は、配送業者に副広告が広告郵便物として承認されているか否かを示す情報である。副広告主が配送業者に副広告を広告郵便物として申請すると、副広告は、広告郵便物としての要件を満たすか否か配送業者により審査される。配送業者により副広告が広告郵便物として承認されると、副広告の送料は割引される。
【００４１】
図６は、副広告情報記憶部３３に記憶された副広告情報の一例を示すテーブルである。図６の各レコードが、各種広告の副広告情報に相当する。図６の副広告情報には、副広告ＩＤ、副広告主ＩＤ、宛先エリア、発送枚数、発送期限、用紙種別、ページ数、サイズ、広告内容、顧客の趣味（顧客属性）、及び広告郵便物としての承認の有無が含まれる。例えば、図６の１行目の副広告の副広告ＩＤはｓａ１であり、副広告主ＩＤはＳＡ１であり、宛先エリアは関東であり、発送枚数は２００枚であり、発送期限は９／３０であり、用紙種別は葉書であり、ページ数は２ページである。また、広告内容はテニス用品であり、発送する顧客の趣味はテニスであり、広告郵便物の承認は有（承認済み）である。
【００４２】
図６の例のように、副広告情報記憶部３３は、複数の副広告主から登録された複数の副広告の副広告情報を記憶する。各副広告主は、１つ又は複数の副広告の副広告情報を登録することができる。以下、副広告ＩＤがｓａｘである副広告を副広告ｓａｘと称する。また、副広告主ＩＤがＳＡＸである副広告主を、副広告主ＳＡＸと称する。
【００４３】
広告画像記憶部３４は、主広告主から登録された主広告の広告画像（画像データ又は文書データ）を、当該主広告の主広告情報と対応付けて記憶する。また、広告画像記憶部３４は、副広告主から登録された副広告の広告画像（画像データ又は文書データ）を、当該副広告の副広告情報と対応付けて記憶する。
【００４４】
第１検索部３５は、主広告主から入力された検索条件をキーとして、副広告主により登録された副広告の中から、検索条件を満たす副広告情報を有する副広告を検索し、発見された副広告を主広告主に提示する。
【００４５】
ところで、本実施形態において、主広告主は、広告マッチング装置３に登録された副広告の中から、自身が登録した主広告と共に発送する１つ又は複数の副広告を選択することができる。主広告及び副広告を共に発送するとは、主広告及び副広告を１つの郵便物として発送することをいう。主広告と共に発送する副広告が選択されると、主広告は、当該主広告の発送枚数のうち副広告の発送枚数だけ副広告と共に発送され、主広告の残りの発送枚数だけ単独で発送される。例えば、図５の主広告主ＭＡ３が、主広告ｍａ５と共に発送する副広告として、図６の副広告ｓａ２を選択した場合、１０００枚（主広告ｍａ５の発送枚数）の主広告ｍａ５のうち、８００枚（副広告ｓａ５の発送枚数）は副広告ｓａ２と共に発送され、残りの２００枚（主広告ｍａ５の残りの発送枚数）は単独で発送される。このように、主広告及び副広告を共に発送することにより、送料を主広告主及び副広告主で分担し、主広告主及び副広告主のコストを削減することができる。
【００４６】
第１検索部３５は、主広告主が自身の主広告と共に発送する副広告を選択するための検索エンジンとして利用される。主広告主が自身の主広告と共に発送する副広告として望ましい副広告の検索条件を入力すると、当該検索条件を満たす副広告が第１検索部３５により提示される。主広告主は、第１検索部３５により提示された副広告の中から、所望の副広告を選択することができる。
【００４７】
検索条件として、１つ以上の任意の副広告情報を利用できる。具体的には、検索条件として、副広告の宛先エリア、発送枚数、発送期限、用紙種別、ページ数、広告内容、サイズ、副広告主の業種、副広告主が副広告を発送する顧客の顧客属性、及び広告郵便物としての承認の有無、の少なくとも１つを利用することが考えられる。主広告主は、これらの検索条件を利用することにより、所望の副広告を選択し、自身の主広告と共に発送することができる。
【００４８】
印刷画像生成部３６は、印刷装置４で印刷を実行するための印刷画像（画像データ又は文書データ）を生成する。印刷画像生成部３６は、主広告と共に発送する副広告が選択されなかった場合、主広告の広告画像と、主広告を発送する顧客の顧客情報（氏名及び住所など）と、を含む印刷画像を生成する。
【００４９】
一方、印刷画像生成部３６は、主広告と共に発送する副広告が選択された場合、主広告の発送枚数のうち、副広告の発送枚数だけ、主広告の広告画像と、副広告の広告画像と、主広告を発送する顧客の顧客情報（氏名及び住所など）と、を含む印刷画像を生成する。また、印刷画像生成部３６は、主広告の残りの発送枚数だけ、主広告の広告画像と、主広告を発送する顧客の顧客情報（氏名及び住所など）と、を含む印刷画像を生成する。
【００５０】
なお、共に発送される主広告及び副広告が葉書である場合、印刷画像生成部３６は、副広告の発送枚数だけ、主広告の広告画像と、副広告の広告画像と、主広告を発送する顧客の顧客情報（氏名及び住所など）と、を含む圧着ハガキ用の印刷画像を生成すればよい。印刷装置４が当該印刷画像を圧着ハガキに印刷することにより、主広告及び副広告を１枚の葉書（１つの郵便物）として発送できる。
【００５１】
ここで、送料の削減について説明する。図７は、送料の削減について説明する図である。図７の例では、主広告ｍａ１と、副広告ｓａ１，ｓａ２と、が共に発送される場合を想定している。主広告ｍａ１及び副広告ｓａ１，ｓａ２は、いずれもページ数が２ページであり、発送枚数がそれぞれ１０００枚、８００枚、及び５００枚である。また、５００枚の主広告ｍａ１及び副広告ｓａ１，ｓａ２が共に発送され、３００枚の主広告ｍａ１及び副広告ｓａ１が共に発送され、２００枚の主広告ｍａ１が単独で発送される。ここで、１枚（２ページ）の広告の送料はＣ円であるものとする。
【００５２】
主広告ｍａ１及び副広告ｓａ１，ｓａ２をそれぞれ別個に発送した場合、主広告ｍａ１及び副広告ｓａ１，ｓａ２の送料は、それぞれ１０００Ｃ円、８００Ｃ円、及び５００Ｃ円となる。
【００５３】
これに対して、図７の例のように、主広告ｍａ１及び副広告ｓａ１，ｓａ２を共に発送した場合、主広告ｍａ１及び副広告ｓａ１，ｓａ２の送料は、それぞれ（２００＋３００／２＋５００／３）Ｃ円、（３００／２＋５００／３）Ｃ円、及び５００／３Ｃ円となる。すなわち、図７の例では、主広告ｍａ１及び副広告ｓａ１，ｓａ２を共に発送することにより、主広告ｍａ１及び副広告ｓａ１の送料が約１／２となり、副広告ｓａ２の送料が約１／３となることがわかる。
【００５４】
このように、主広告及び副広告を共に発送することにより、送料を削減することができる。なお、上記の例では、各広告の送料の分担比率は一定であるものとしたが、分担比率はページ数に応じて設定されてもよい。例えば、１ページの主広告と、２ページの副広告と、を共に発送する場合、当該広告の送料を、主広告主と副広告主とで１：２で分担することが考えられる。
【００５５】
次に、広告マッチングシステム１００の処理について説明する。以下、主広告の登録処理、副広告の登録処理、検索結果に基づく副広告の選択処理、及び印刷処理について、それぞれ説明する。
【００５６】
図８は、主広告の登録処理の一例を示すシーケンス図である。図８に示すように、まず、主広告主は、主広告主端末１に主広告の登録画面を表示させる（ステップＳ１０１）。
【００５７】
次に、主広告主は、主広告主端末１に主広告情報及び主広告の広告画像を入力する（ステップＳ１０２）。主広告主は、主広告を発送する顧客のリストを用意し、当該リストに含まれる顧客の顧客情報に基づいて、宛先エリアなどの主広告情報を設定してもよい。また、主広告主は、顧客情報記憶部１１に記憶された顧客情報に基づいて、所定の条件を満たす顧客を、主広告を発送する顧客として抽出し、当該所定の条件の少なくとも一部を主広告情報として設定してもよい。その後、主広告主は、登録画面に表示された主広告の登録ボタンを押下する。
【００５８】
主広告ボタンが押下されると、主広告主端末１は、広告マッチング装置３に主広告の登録要求を送信する（ステップＳ１０３）。この際、主広告主端末１は、ステップＳ１０２で入力された主広告情報及び広告画像と、当該主広告主端末１に割り当てられた主広告主端末ＩＤと、を広告マッチング装置３に送信する。
【００５９】
制御部３１は、主広告主端末１から主広告の登録要求を受信すると、当該主広告に主広告ＩＤを割り当て、広告マッチング装置３に登録する。具体的には、制御部３１は、主広告ＩＤ及び主広告主端末１から受信した主広告情報を、主広告情報記憶部３２に保存（登録）する（ステップＳ１０４）。
【００６０】
また、制御部３１は、主広告主端末１から受信した広告画像を、主広告ＩＤと対応付けて広告画像記憶部３４に保存（登録）する（ステップＳ１０５）。これにより、主広告ＩＤを介して、主広告情報と広告画像とが対応付けられる。
【００６１】
制御部３１は、主広告の登録が完了した後、主広告の登録完了を主広告主端末１に通知する（ステップＳ１０６）。
【００６２】
主広告主端末１は、主広告の登録完了を通知されると、登録画面に主広告の登録完了を表示する（ステップＳ１０７）。これにより、主広告の登録完了が主広告主に通知される。
【００６３】
以上の処理により、主広告主は、自身の主広告を広告マッチング装置３に登録することができる。上述の通り、各主広告主は、複数の主広告を登録してもよい。また、広告マッチング装置３は、複数の主広告主の主広告を登録されてもよい。
【００６４】
図９は、副広告の登録処理の一例を示すシーケンス図である。図９に示すように、まず、副広告主は、副広告主端末２に副広告の登録画面を表示させる（ステップＳ２０１）。
【００６５】
次に、副広告主は、副広告主端末２に副広告情報及び副広告の広告画像を入力する（ステップＳ２０２）。副広告主は、副広告を発送する顧客の条件を副広告情報として設定すればよい。その後、副広告主は、登録画面に表示された副広告の登録ボタンを押下する。
【００６６】
副広告ボタンが押下されると、副広告主端末２は、広告マッチング装置３に副広告の登録要求を送信する（ステップＳ２０３）。この際、副広告主端末２は、ステップＳ２０２で入力された副広告情報及び広告画像と、当該副広告主端末２に割り当てられた副広告主端末ＩＤと、を広告マッチング装置３に送信する。
【００６７】
制御部３１は、副広告主端末２から副広告の登録要求を受信すると、当該副広告に副広告ＩＤを割り当て、広告マッチング装置３に登録する。具体的には、制御部３１は、副広告ＩＤ及び副広告主端末２から受信した副広告情報を、副広告情報記憶部３３に保存（登録）する（ステップＳ２０４）。
【００６８】
また、制御部３１は、副広告主端末２から受信した広告画像を、副広告ＩＤと対応付けて広告画像記憶部３４に保存（登録）する（ステップＳ２０５）。これにより、副広告ＩＤを介して、副広告情報と広告画像とが対応付けられる。
【００６９】
制御部３１は、副広告の登録が完了した後、副広告の登録完了を副広告主端末２に通知する（ステップＳ２０６）。
【００７０】
副広告主端末２は、副広告の登録完了を通知されると、登録画面に副広告の登録完了を表示する（ステップＳ２０７）。これにより、副広告の登録完了が副広告主に通知される。
【００７１】
以上の処理により、副広告主は、自身の副広告を広告マッチング装置３に登録することができる。上述の通り、各副広告主は、複数の副広告を登録してもよい。また、広告マッチング装置３は、複数の副広告主から副広告を登録されてもよい。
【００７２】
図１０は、検索結果に基づく、主広告と共に発送する副広告の選択処理の一例を示すシーケンス図である。図１０に示すように、まず、主広告主は、副広告を検索するための検索画面を主広告主端末１に表示させる（ステップＳ３０１）。
【００７３】
次に、主広告主は、所望の副広告を検索するための検索条件を主広告主端末１に入力する（ステップＳ３０２）。主広告主は、検索条件として、自身の主広告の宛先エリアを入力することにより、宛先エリアが共通の副広告を検索できる。また、主広告主は、検索条件として、自身の主広告を発送する顧客の顧客属性を入力することにより、顧客属性が共通する副広告を検索できる。その後、主広告主は、検索画面に表示された検索ボタンを押下する。
【００７４】
検索ボタンが押下されると、主広告主端末１は、広告マッチング装置３に検索条件及び検索要求を送信する（ステップＳ３０３）。
【００７５】
制御部３１は、検索要求を受信すると、当該検索要求と共に受信した検索条件を第１検索部３５に渡す（ステップＳ３０４）。
【００７６】
第１検索部３５は、検索条件を受け取ると、当該検索条件をキーとして副広告情報記憶部３３に記憶された副広告情報を検索し（ステップＳ３０５）、検索結果として検索条件を満たす副広告情報を取得する（ステップＳ３０６）。その後、第１検索部３５は、取得した検索結果を主広告主端末１に送信する（ステップＳ３０７）。この際、第１検索部３５は、検索結果として取得した副広告情報を有する副広告の広告画像を広告画像記憶部３４から取得し、主広告主端末１に送信してもよい。
【００７７】
主広告主端末１は、検索結果を受信すると、検索画面に当該検索結果を表示する（ステップＳ３０８）。これにより、第１検索部３５により発見された、検索条件を満たす副広告情報が主広告主に提示される。この際、主広告主端末１は、検索条件を満たす副広告情報を有する副広告の広告画像を検索画面に表示してもよい。
【００７８】
検索結果が表示されると、主広告主は、検索結果として表示された副広告の中から、自身の主広告と共に発送する副広告を選択し（ステップＳ３０９）、検索画面に表示された登録ボタンを押下する。
【００７９】
登録ボタンが押下されると、主広告主端末１は、主広告と共に発送する副広告の登録を要求する登録要求を広告マッチング装置３に送信する（ステップＳ３１０）。この際、主広告主端末１は、共に発送される主広告の主広告ＩＤ及び副広告の副広告ＩＤを、登録要求と共に送信する。
【００８０】
制御部３１は、登録要求を受信すると、主広告主端末１から主広告ＩＤ及び副広告ＩＤを受信した主広告及び副広告を、共に発送する主広告及び副広告として登録する。具体的には、制御部３１は、主広告主端末１から副広告ＩＤを受信した副広告の副広告情報に、主広告主端末１から受信した主広告ＩＤを、共に発送する主広告の主広告ＩＤとして追加する（ステップＳ３１１）。
【００８１】
また、制御部３１は、主広告主端末１から主広告ＩＤを受信した主広告の主広告情報に、主広告主端末１から受信した副広告ＩＤを、共に発送する副広告の副広告ＩＤとして追加する（ステップＳ３１２）。
【００８２】
以上の処理により、主広告主は、検索結果に基づいて、自身の主広告と共に発送する副広告を選択することができる。また、主広告と共に発送する副広告が広告マッチング装置３に登録される。なお、広告マッチング装置３は、共に発送する主広告の主広告ＩＤと副広告の副広告ＩＤとを対応付けて記憶する記憶部（ＤＢ）を、主広告情報記憶部３２及び副広告情報記憶部３３とは別に備えてもよい。また、制御部３１は、主広告と共に発送する副広告の登録後、当該副広告の副広告主に、その旨を通知してもよい。この場合、副広告主が当該登録を許可又は拒否可能であってもよい。
【００８３】
図１１は、印刷処理の一例を示すシーケンス図である。広告マッチング装置３は、主広告主や副広告主から広告の印刷を要求されると、又は所定のタイミングが到来すると、図１１の処理を開始する。所定のタイミングは、例えば、印刷する主広告の発送期限の所定日数前であるが、これに限られない。以下、印刷する主広告を主広告ｍａ、主広告ｍａと共に発送する副広告を副広告ｓａと称する。
【００８４】
図１１に示すように、まず、制御部３１は、主広告ｍａの主広告情報を主広告情報記憶部３２に要求し（ステップＳ４０１）、主広告ｍａの主広告情報を取得する（ステップＳ４０２）。
【００８５】
次に、制御部３１は、主広告ｍａと共に発送する副広告ｓａの副広告情報を副広告情報記憶部３３に要求し（ステップＳ４０３）、副広告ｓａの副広告情報を取得する（ステップＳ４０４）。制御部３１は、主広告ｍａの主広告情報を参照することにより、副広告ｓａの副広告ＩＤを取得すればよい。なお、主広告ｍａと共に発送する副広告ｓａが登録されていない場合、ステップＳ４０３，Ｓ４０４は省略される。
【００８６】
続いて、制御部３１は、主広告ｍａ及び副広告ｓａの広告画像を広告画像記憶部３４に要求し（ステップＳ４０５）、主広告ｍａ及び副広告ｓａの広告画像を取得する（ステップＳ４０６）。
【００８７】
その後、制御部３１は、主広告ｍａを発送する顧客の顧客情報を主広告主端末１に要求し（ステップＳ４０７）、主広告ｍａを発送する顧客の顧客情報を取得する（ステップＳ４０８）。ここで取得される顧客情報には、顧客の氏名及び住所が含まれる。なお、広告マッチング装置３は、顧客情報記憶部を備え、当該顧客情報記憶部に、主広告主端末１から予め取得した顧客情報を記憶していてもよい。
【００８８】
制御部３１は、主広告情報、副広告情報、主広告ｍａの広告画像、副広告ｓａの広告画像、及び顧客情報を取得すると、主広告情報及び副広告情報に基づいて、顧客情報、主広告ｍａの広告画像、及び副広告ｓａの広告画像を対応付けて、印刷画像生成部３６に渡す（ステップＳ４０９）。なお、制御部３１は、副広告情報及び顧客情報が一致するように、顧客情報及び副広告ｓａの広告画像を対応付けるのが好ましい。例えば、副広告ｓａの広告画像と、副広告ｓａの宛先エリアと一致する住所（宛先）を有する顧客の顧客情報と、を対応付けることが考えられる。これにより、副広告ｓａの宛先エリアに、当該副広告ｓａを発送することができる。
【００８９】
印刷画像生成部３６は、顧客情報、主広告ｍａの広告画像、及び副広告ｓａの広告画像を受け取ると、顧客情報、主広告ｍａの広告画像、及び副広告ｓａの広告画像を含む印刷画像を生成し（ステップＳ４１０）、当該印刷画像を印刷画像記憶部３７に保存する（ステップＳ４１１）。
【００９０】
制御部３１及び印刷画像生成部３６は、ステップＳ４０９〜Ｓ４１１の処理を、主広告ｍａの発送枚数の分だけ繰り返す。
【００９１】
制御部３１は、全ての主広告ｍａの印刷画像が生成されると、主広告ｍａの印刷画像を印刷画像記憶部３７に要求し（ステップＳ４１２）、主広告ｍａの印刷画像を取得し（ステップＳ４１３）、主広告ｍａの印刷画像を印刷装置４に送信する（ステップＳ４１４）。
【００９２】
印刷装置４は、主広告ｍａの印刷画像を受信すると、主広告ｍａ及び副広告ｓａの印刷を実行する（ステップ４１５）。印刷された主広告ｍａ及び副広告ｓａは、主広告ｍａの発送日に発送される。
【００９３】
なお、ステップＳ４１２〜Ｓ４１５の処理は、１つの印刷画像が生成されるたびに実行されてもよい。また、広告マッチング装置３が印刷画像記憶部３７を備えず、印刷画像生成部３６が印刷画像を生成するたびに制御部３１が当該印刷画像を印刷装置４に送信してもよい。
【００９４】
また、主広告ｍａ及び副広告ｓａの発送後、主広告ｍａの主広告情報及び副広告ｓａの副広告情報は更新されるのが好ましい。主広告ｍａの主広告情報は、例えば、削除されてもよいし、発送済みの主広告ｍａの主広告情報として、主広告情報記憶部３２とは別の記憶部に保存されてもよい。また、副広告ｓａの副広告情報は、例えば、削除されてもよいし、発送済みの副広告ｓａの主広告情報として、副広告情報記憶部３３とは別の記憶部に保存されてもよい。また、副広告ｓａの発送枚数が主広告ｍａの発送枚数より多い場合、副広告ｓａの発送枚数が、主広告ｍａと共に発送された枚数の分だけ減らされてもよい。
【００９５】
以上説明した通り、本実施形態によれば、主広告主は、自身の主広告を副広告と共に発送することにより、主広告の送料を削減できる。
【００９６】
また、本実施形態によれば、発送枚数を含む主広告情報及び副広告情報は、主広告主及び副広告主によりそれぞれ登録され、主広告及び副広告は、それぞれ主広告情報及び副広告情報に従って発送される。したがって、主広告主及び副広告主は、それぞれ所望の顧客情報を有する顧客に所望の枚数の主広告及び副広告をそれぞれ発送することができる。
【００９７】
また、本実施形態に係る広告マッチング装置３は、宛先エリアを含む複数の情報に基づいて主広告及び副広告をマッチングできる。したがって、主広告及び副広告の登録やマッチングの自由度を向上させることができる。
【００９８】
また、本実施形態によれば、副広告主は、副広告を発送した顧客の顧客情報を有しない場合であっても、所望の顧客の顧客属性を副広告情報として登録することにより、所望の顧客に副広告を発送することができる。
【００９９】
また、本実施形態によれば、主広告主が有する顧客情報に、副広告主や他の主広告主をアクセスさせることなく、主広告及び副広告を発送することができる。したがって、主広告主が有する顧客情報の漏えいを抑制することができる。
【０１００】
また、本実施形態によれば、主広告主は、自身の主広告と共に発送する副広告として、相乗効果が得られる副広告を選択することにより、主広告の広告効果を向上させることができる。例えば、主広告がゴルフ場を宣伝する広告である場合、当該主広告と共に発送する副広告として、ゴルフ用品を宣伝する広告や、ゴルフ場の近隣のホテルを宣伝する広告を選択することにより、主広告を単独で発送する場合に比べて大きな広告効果が期待できる。
【０１０１】
＜第２実施形態＞
第２実施形態に係る広告マッチングシステム１００について、図１２及び図１３を参照して説明する。本実施形態では、主広告と共に発送する副広告を主広告主にレコメンドする広告マッチングシステム１００について説明する。以下、第１実施形態との相違点を中心に説明する。
【０１０２】
図１２は、広告マッチング装置３の機能構成の一例を示す図である。図１２の広告マッチング装置３は、第１レコメンド部３８を備える。第１レコメンド部３８は、ＣＰＵ３０１がプログラムを実行し、他の構成と協働することにより実現される。なお、広告マッチング装置３の他の機能構成及びハードウェア構成は、第１実施形態と同様である。
【０１０３】
第１レコメンド部３８は、主広告情報及び副広告情報に基づいて、主広告に類似する副広告を選択し、選択した副広告を主広告主にレコメンドする。第１レコメンド部３８は、主広告に類似する副広告として、宛先エリアが主広告と対応し、かつ、発送期限が主広告の発送日以降である副広告を選択する。宛先エリアが対応するとは、宛先エリアが一致する、又は一方の宛先エリアが他方の宛先エリアに含まれることをいう。
【０１０４】
また、第１レコメンド部３８は、主広告に類似する副広告として、主広告情報及び副広告情報の一部の項目（以下「対象項目」という。）が一致する副広告を選択してもよい。対象項目は、例えば、用紙種別、広告内容、広告主の業種、発送する顧客の顧客属性、及び広告郵便物としての承認の有無の少なくとも１つであるが、これに限られない。例えば、対象項目が用紙種別及び顧客属性である場合、図５の主広告ｍａ１と類似する副広告として、図６の副広告ｓａ２が選択される。
【０１０５】
次に、広告マッチングシステム１００の処理について説明する。図１３は、レコメンド結果に基づく、主広告と共に発送する副広告の選択処理の一例を示すシーケンス図である。なお、主広告及び副広告の登録処理、検索結果に基づく副広告の選択処理、及び印刷処理については、第１実施形態と同様である。
【０１０６】
図１３に示すように、まず、主広告主は、広告マッチング装置３に副広告をレコメンドさせるためのレコメンド画面を、主広告主端末１に表示させる（ステップＳ５０１）。レコメンド画面には、主広告主が登録した主広告の一覧が表示される。
【０１０７】
次に、主広告主は、レコメンド画面から、レコメンド対象となる自身の主広告を選択し（ステップＳ５０２）、レコメンド画面に表示されたレコメンドボタンを押下する。
【０１０８】
レコメンドボタンが押下されると、主広告主端末１は、広告マッチング装置３に、レコメンド対象となる主広告の主広告ＩＤ及びレコメンド要求を送信する（ステップＳ５０３）。
【０１０９】
制御部３１は、レコメンド要求を受信すると、当該レコメンド要求と共に受信した主広告ＩＤを第１レコメンド部３８に渡す（ステップＳ５０４）。
【０１１０】
第１レコメンド部３８は、主広告ＩＤを受け取ると、当該主広告ＩＤを含む主広告情報、すなわち、レコメンド対象となる主広告の主広告情報を、主広告情報記憶部３２に要求し（ステップＳ５０５）、レコメンド対象となる主広告の主広告情報を取得する（ステップＳ５０６）。
【０１１１】
次に、第１レコメンド部３８は、レコメンド対象となる主広告の主広告情報を取得すると、当該主広告情報に含まれる宛先エリア、発送日、及び対象項目をキーとして、副広告情報記憶部３３に記憶された副広告情報を検索し（ステップＳ５０７）、検索結果として主広告に類似する副広告の副広告情報を取得する（ステップＳ５０８）。
【０１１２】
その後、第１レコメンド部３８は、取得した検索結果をレコメンド結果として主広告主端末１に送信する（ステップＳ５０９）。この際、第１レコメンド部３８は、検索結果として取得した副広告情報を有する副広告の広告画像を広告画像記憶部３４から取得し、レコメンド結果として主広告主端末１に送信してもよい。
【０１１３】
主広告主端末１は、レコメンド結果を受信すると、レコメンド画面に当該レコメンド結果を表示する（ステップＳ５１０）。これにより、第１レコメンド部３８により発見された、主広告に類似する副広告の副広告情報が主広告主に提示（レコメンド）される。
【０１１４】
レコメンド結果が表示されると、主広告主は、レコメンド結果として表示された副広告の中から、自身の主広告と共に発送する副広告を選択し（ステップＳ５１１）、レコメンド画面に表示された登録ボタンを押下する。
【０１１５】
登録ボタンが押下されると、主広告主端末１は、主広告と共に発送する副広告の登録を要求する登録要求を広告マッチング装置３に送信する（ステップＳ５１２）。この際、主広告主端末１は、共に発送される主広告の主広告ＩＤ及び副広告の副広告ＩＤを、登録要求と共に送信する。
【０１１６】
制御部３１は、登録要求を受信すると、主広告主端末１から主広告ＩＤ及び副広告ＩＤを受信した主広告及び副広告を、共に発送する主広告及び副広告として登録する。具体的には、制御部３１は、主広告主端末１から副広告ＩＤを受信した副広告の副広告情報に、主広告主端末１から受信した主広告ＩＤを、共に発送する主広告の主広告ＩＤとして追加する（ステップＳ５１３）。
【０１１７】
また、制御部３１は、主広告主端末１から主広告ＩＤを受信した主広告の主広告情報に、主広告主端末１から受信した副広告ＩＤを、共に発送する副広告の副広告ＩＤとして追加する（ステップＳ５１４）。
【０１１８】
以上の処理により、主広告主は、レコメンド結果に基づいて、自身の主広告と共に発送する副広告を選択することができる。また、主広告と共に発送する副広告が広告マッチング装置３に登録される。なお、広告マッチング装置３は、共に発送する主広告の主広告ＩＤと副広告の副広告ＩＤとを対応付けて記憶する記憶部（ＤＢ）を、主広告情報記憶部３２及び副広告情報記憶部３３とは別に備えてもよい。また、制御部３１は、主広告と共に発送する副広告の登録後、当該副広告の副広告主に、その旨を通知してもよい。この場合、副広告主が当該登録を許可又は拒否可能であってもよい。
【０１１９】
以上説明した通り、本実施形態によれば、主広告主は、検索条件などを入力することなく、自身の主広告と類似する副広告をレコメンドされる。したがって、主広告主は、自身の主広告と類似する副広告の中から、自身の主広告と共に発送する副広告を容易に選択することができる。すなわち、本実施形態によれば、主広告主が副広告を選択する際の、検索条件の検討や入力などの手間を、軽減することができる。
【０１２０】
なお、本実施形態において、主広告主は、第１実施形態と同様に、第１検索部３５による検索結果に基づいて、自身の主広告と共に発送する副広告を選択することも可能である。また、本実施形態において、広告マッチング装置３は、第１検索部３５を備えない構成も可能である。
【０１２１】
また、第１レコメンド部３８は、所定のタイミングで、主広告に類似する副広告を、主広告と共に発送する副広告として自動的に登録してもよい。所定のタイミングは、例えば、主広告が登録されたタイミングであるが、これに限られない。この場合、主広告と共に発送する副広告の登録後、副広告主が当該登録を許可又は拒否可能であるのが好ましい。
【０１２２】
＜第３実施形態＞
第３実施形態に係る広告マッチングシステム１００について、図１４及び図１５を参照して説明する。本実施形態では、副広告と共に発送する主広告を副広告主が選択可能な広告マッチングシステム１００について説明する。以下、第１実施形態との相違点を中心に説明する。
【０１２３】
図１４は、広告マッチング装置３の機能構成の一例を示す図である。図１４の広告マッチング装置３は、第２検索部３９を備える。第２レコメンド部４０は、ＣＰＵ３０１がプログラムを実行し、他の構成と協働することにより実現される。なお、広告マッチング装置３の他の機能構成及びハードウェア構成は、第１実施形態と同様である。
【０１２４】
第２検索部３９は、副広告主から入力された検索条件をキーとして、主広告主により登録された主広告の中から、検索条件を満たす主広告情報を有する主広告を検索し、発見された主広告を副広告主に提示する。
【０１２５】
上述の通り、本実施形態において、副広告主は、広告マッチング装置３に登録された主広告の中から、自身が登録した副広告と共に発送する１つ又は複数の主広告を選択することができる。
【０１２６】
第２検索部３９は、副広告主が自身の副広告と共に発送する主広告を選択するための検索エンジンとして利用される。副広告主が自身の副広告と共に発送する主広告として望ましい主広告の検索条件を入力すると、当該検索条件を満たす主広告が第２検索部３９により提示される。副広告主は、第２検索部３９により提示された主広告の中から、所望の主広告を選択することができる。
【０１２７】
検索条件として、１つ以上の任意の主広告情報を利用できる。具体的には、検索条件として、主広告の宛先エリア、発送枚数、発送日、用紙種別、ページ数、広告内容、サイズ、主広告主の業種、主広告を発送する顧客の顧客属性、及び広告郵便物としての承認の有無、の少なくとも１つを利用することが考えられる。副広告主は、これらの検索条件を利用することにより、所望の主広告を選択し、自身の副広告と共に発送することができる。
【０１２８】
次に、広告マッチングシステム１００の処理について説明する。図１５は、検索結果に基づく、副広告と共に発送する主広告の選択処理の一例を示すシーケンス図である。なお、主広告及び副広告の登録処理、及び印刷処理については、第１実施形態と同様である。
【０１２９】
図１５に示すように、まず、副広告主は、主広告を検索するための検索画面を副広告主端末２に表示させる（ステップＳ６０１）。
【０１３０】
次に、副広告主は、所望の主広告を検索するための検索条件を副広告主端末２に入力する（ステップＳ６０２）。副広告主は、検索条件として、自身の副広告の宛先エリアを入力することにより、宛先エリアが共通の主広告を検索できる。また、副広告主は、検索条件として、自身の副広告を発送する顧客の顧客属性を入力することにより、顧客属性が共通する主広告を検索できる。その後、副広告主は、検索画面に表示された検索ボタンを押下する。
【０１３１】
検索ボタンが押下されると、副広告主端末２は、広告マッチング装置３に検索条件及び検索要求を送信する（ステップＳ６０３）。
【０１３２】
制御部３１は、検索要求を受信すると、当該検索要求と共に受信した検索条件を第２検索部３９に渡す（ステップＳ６０４）。
【０１３３】
第２検索部３９は、検索条件を受け取ると、当該検索条件をキーとして主広告情報記憶部３２に記憶された主広告情報を検索し（ステップＳ６０５）、検索結果として検索条件を満たす主広告情報を取得する（ステップＳ６０６）。その後、第２検索部３９は、取得した検索結果を副広告主端末２に送信する（ステップＳ６０７）。この際、第２検索部３９は、検索結果として取得した主広告情報を有する主広告の広告画像を広告画像記憶部３４から取得し、副広告主端末２に送信してもよい。
【０１３４】
副広告主端末２は、検索結果を受信すると、検索画面に当該検索結果を表示する（ステップＳ６０８）。これにより、第２検索部３９により発見された、検索条件を満たす主広告情報が副広告主に提示される。この際、副広告主端末２は、検索条件を満たす主広告情報を有する主広告の広告画像を検索画面に表示してもよい。
【０１３５】
検索結果が表示されると、副広告主は、検索結果として表示された主広告の中から、自身の副広告と共に発送する主広告を選択し（ステップＳ６０９）、検索画面に表示された登録ボタンを押下する。
【０１３６】
登録ボタンが押下されると、副広告主端末２は、副広告と共に発送する主広告の登録を要求する登録要求を広告マッチング装置３に送信する（ステップＳ６１０）。この際、副広告主端末２は、共に発送される主広告の主広告ＩＤ及び副広告の副広告ＩＤを、登録要求と共に送信する。
【０１３７】
制御部３１は、登録要求を受信すると、副広告主端末２から主広告ＩＤ及び副広告ＩＤを受信した主広告及び副広告を、共に発送する主広告及び副広告として登録する。具体的には、制御部３１は、副広告主端末２から副広告ＩＤを受信した副広告の副広告情報に、副広告主端末２から受信した主広告ＩＤを、共に発送する主広告の主広告ＩＤとして追加する（ステップＳ６１１）。
【０１３８】
また、制御部３１は、副広告主端末２から主広告ＩＤを受信した主広告の主広告情報に、副広告主端末２から受信した副広告ＩＤを、共に発送する副広告の副広告ＩＤとして追加する（ステップＳ６１２）。
【０１３９】
以上の処理により、副広告主は、検索結果に基づいて、自身の副広告と共に発送する主広告を選択することができる。また、副広告と共に発送する主広告が広告マッチング装置３に登録される。なお、広告マッチング装置３は、共に発送する主広告の主広告ＩＤと副広告の副広告ＩＤとを対応付けて記憶する記憶部（ＤＢ）を、主広告情報記憶部３２及び副広告情報記憶部３３とは別に備えてもよい。また、制御部３１は、副広告と共に発送する主広告の登録後、当該主広告の主広告主に、その旨を通知してもよい。この場合、主広告主が当該登録を許可又は拒否可能であってもよい。
【０１４０】
以上説明した通り、本実施形態によれば、副広告主は、自身の副広告を主広告と共に発送することにより、副広告の送料を削減できる。
【０１４１】
また、本実施形態によれば、発送枚数を含む主広告情報及び副広告情報は、主広告主及び副広告主によりそれぞれ登録され、主広告及び副広告は、それぞれ主広告情報及び副広告情報に従って発送される。したがって、主広告主及び副広告主は、それぞれ所望の顧客情報を有する顧客に所望の枚数の主広告及び副広告をそれぞれ発送することができる。
【０１４２】
また、本実施形態に係る広告マッチング装置３は、宛先エリアを含む複数の情報に基づいて主広告及び副広告をマッチングできる。したがって、主広告及び副広告の登録やマッチングの自由度を向上させることができる。
【０１４３】
また、本実施形態によれば、副広告主は、副広告を発送した顧客の顧客情報を有しない場合であっても、所望の顧客の顧客属性を副広告情報として登録することにより、所望の顧客に副広告を発送することができる。
【０１４４】
また、本実施形態によれば、主広告主が有する顧客情報に、副広告主や他の主広告主をアクセスさせることなく、主広告及び副広告を発送することができる。したがって、主広告主が有する顧客情報の漏えいを抑制することができる。
【０１４５】
また、本実施形態によれば、副広告主は、自身の副広告と共に発送する主広告として、相乗効果が得られる主広告を選択することにより、副広告の広告効果を向上させることができる。例えば、副広告がゴルフ場を宣伝する広告である場合、当該副広告と共に発送する主広告として、ゴルフ用品を宣伝する広告や、ゴルフ場の近隣のホテルを宣伝する広告を選択することにより、副広告を単独で発送する場合に比べて大きな広告効果が期待できる。
【０１４６】
なお、本実施形態において、広告マッチング装置３は、第１検索部３５及び第１レコメンド部３８の少なくとも一方を備える構成も可能である。
【０１４７】
＜第４実施形態＞
第４実施形態に係る広告マッチングシステム１００について、図１６及び図１７を参照して説明する。本実施形態では、副広告と共に発送する主広告を副広告主にレコメンドする広告マッチングシステム１００について説明する。以下、第３実施形態との相違点を中心に説明する。
【０１４８】
図１６は、広告マッチング装置３の機能構成の一例を示す図である。図１６の広告マッチング装置３は、第２レコメンド部４０を備える。第２レコメンド部４０は、ＣＰＵ３０１がプログラムを実行し、他の構成と協働することにより実現される。なお、広告マッチング装置３の他の機能構成及びハードウェア構成は、第３実施形態と同様である。
【０１４９】
第２レコメンド部４０は、主広告情報及び副広告情報に基づいて、副広告に類似する主広告を選択し、選択した主広告を副広告主にレコメンドする。第２レコメンド部４０は、副広告に類似する主広告として、宛先エリアが副広告と対応し、かつ、発送日が副広告の発送期限以前である主広告を選択する。宛先エリアが対応するとは、宛先エリアが一致する、又は一方の宛先エリアが他方の宛先エリアに含まれることをいう。
【０１５０】
また、第２レコメンド部４０は、副広告に類似する主広告として、主広告情報及び副広告情報の対象項目が一致する主広告を選択してもよい。対象項目は、例えば、用紙種別、広告内容、広告主の業種、発送する顧客の顧客属性、及び広告郵便物としての承認の有無の少なくとも１つであるが、これに限られない。例えば、対象項目が用紙種別及び顧客属性である場合、図６の副広告ｓａ２と類似する副広告として、図５の主広告ｍａ１，ｍａ２，ｍａ５が選択される。
【０１５１】
次に、広告マッチングシステム１００の処理について説明する。図１７は、レコメンド結果に基づく、副広告と共に発送する主広告の選択処理の一例を示すシーケンス図である。なお、主広告及び副広告の登録処理、検索結果に基づく副広告の選択処理、及び印刷処理については、第３実施形態と同様である。
【０１５２】
図１７に示すように、まず、副広告主は、広告マッチング装置３に副広告をレコメンドさせるためのレコメンド画面を、副広告主端末２に表示させる（ステップＳ７０１）。レコメンド画面には、副広告主が登録した副広告の一覧が表示される。
【０１５３】
次に、副広告主は、レコメンド画面から、レコメンド対象となる自身の副広告を選択し（ステップＳ７０２）、レコメンド画面に表示されたレコメンドボタンを押下する。
【０１５４】
レコメンドボタンが押下されると、副広告主端末２は、広告マッチング装置３に、レコメンド対象となる副広告の副広告ＩＤ及びレコメンド要求を送信する（ステップＳ７０３）。
【０１５５】
制御部３１は、レコメンド要求を受信すると、当該レコメンド要求と共に受信した副広告ＩＤを第２レコメンド部４０に渡す（ステップＳ７０４）。
【０１５６】
第２レコメンド部４０は、副広告ＩＤを受け取ると、当該副広告ＩＤを含む副広告情報、すなわち、レコメンド対象となる副広告の副広告情報を、副広告情報記憶部３３に要求し（ステップＳ７０５）、レコメンド対象となる副広告の副広告情報を取得する（ステップＳ７０６）。
【０１５７】
次に、第２レコメンド部４０は、レコメンド対象となる副広告の副広告情報を取得すると、当該副広告情報に含まれる宛先エリア、発送期限、及び対象項目をキーとして、主広告情報記憶部３２に記憶された主広告情報を検索し（ステップＳ７０７）、検索結果として副広告に類似する主広告の主広告情報を取得する（ステップＳ７０８）。
【０１５８】
その後、第２レコメンド部４０は、取得した検索結果をレコメンド結果として副広告主端末２に送信する（ステップＳ７０９）。この際、第２レコメンド部４０は、検索結果として取得した主広告情報を有する主広告の広告画像を広告画像記憶部３４から取得し、レコメンド結果として副広告主端末２に送信してもよい。
【０１５９】
副広告主端末２は、レコメンド結果を受信すると、レコメンド画面に当該レコメンド結果を表示する（ステップＳ７１０）。これにより、第２レコメンド部４０により発見された、副広告に類似する主広告の主広告情報が副広告主に提示（レコメンド）される。
【０１６０】
レコメンド結果が表示されると、副広告主は、レコメンド結果として表示された主広告の中から、自身の副広告と共に発送する主広告を選択し（ステップＳ７１１）、レコメンド画面に表示された登録ボタンを押下する。
【０１６１】
登録ボタンが押下されると、副広告主端末２は、副広告と共に発送する主広告の登録を要求する登録要求を広告マッチング装置３に送信する（ステップＳ７１２）。この際、副広告主端末２は、共に発送される主広告の主広告ＩＤ及び副広告の副広告ＩＤを、登録要求と共に送信する。
【０１６２】
制御部３１は、登録要求を受信すると、副広告主端末２から主広告ＩＤ及び副広告ＩＤを受信した主広告及び副広告を、共に発送する主広告及び副広告として登録する。具体的には、制御部３１は、副広告主端末２から副広告ＩＤを受信した副広告の副広告情報に、副広告主端末２から受信した主広告ＩＤを、共に発送する主広告の主広告ＩＤとして追加する（ステップＳ７１３）。
【０１６３】
また、制御部３１は、副広告主端末２から主広告ＩＤを受信した主広告の主広告情報に、副広告主端末２から受信した副広告ＩＤを、共に発送する副広告の副広告ＩＤとして追加する（ステップＳ７１４）。
【０１６４】
以上の処理により、副広告主は、レコメンド結果に基づいて、自身の副広告と共に発送する主広告を選択することができる。また、副広告と共に発送する主広告が広告マッチング装置３に登録される。なお、広告マッチング装置３は、共に発送する主広告の主広告ＩＤと副広告の副広告ＩＤとを対応付けて記憶する記憶部（ＤＢ）を、主広告情報記憶部３２及び副広告情報記憶部３３とは別に備えてもよい。また、制御部３１は、副広告と共に発送する主広告の登録後、当該主広告の主広告主に、その旨を通知してもよい。この場合、主広告主が当該登録を許可又は拒否可能であってもよい。
【０１６５】
以上説明した通り、本実施形態によれば、副広告主は、検索条件などを入力することなく、自身の副広告と類似する主広告をレコメンドされる。したがって、副広告主は、自身の副広告と類似する主広告の中から、自身の副広告と共に発送する主広告を容易に選択することができる。すなわち、本実施形態によれば、副広告主が主広告を選択する際の、検索条件の検討や入力などの手間を、軽減することができる。
【０１６６】
なお、本実施形態において、副広告主は、第３実施形態と同様に、第２検索部３９による検索結果に基づいて、自身の副広告と共に発送する主広告を選択することも可能である。また、本実施形態において、広告マッチング装置３は、第２検索部３９を備えない構成も可能である。また、本実施形態において、広告マッチング装置３は、第１検索部３５及び第１レコメンド部３８の少なくとも一方を備える構成も可能である。
【０１６７】
また、第２レコメンド部４０は、所定のタイミングで、副広告に類似する主広告を、副広告と共に発送する主広告として自動的に登録してもよい。所定のタイミングは、例えば、副広告が登録されたタイミングであるが、これに限られない。この場合、副広告と共に発送する主広告の登録後、主広告主が当該登録を許可又は拒否可能であるのが好ましい。
【０１６８】
なお、上記実施形態に挙げた構成等に、その他の要素との組み合わせなど、ここで示した構成に本発明が限定されるものではない。これらの点に関しては、本発明の趣旨を逸脱しない範囲で変更可能であり、その応用形態に応じて適切に定めることができる。
【符号の説明】
【０１６９】
１：主広告主端末
２：副広告主端末
３：広告マッチング装置
４：印刷装置
１１：顧客情報記憶部
３１：制御部
３２：主広告情報記憶部
３３：副広告情報記憶部
３４：広告画像記憶部
３５：第１検索部
３６：印刷画像生成部
３７：印刷画像記憶部
３８：第１レコメンド部
３９：第２検索部
４０：第２レコメンド部
１００：広告マッチングシステム
【図１】
2019040312.tif 000003
【図２】
2019040312.tif 000004
【図３】
2019040312.tif 000005
【図４】
2019040312.tif 000006
【図５】
2019040312.tif 000007
【図６】
2019040312.tif 000008
【図７】
2019040312.tif 000009
【図８】
2019040312.tif 000010
【図９】
2019040312.tif 000011
【図１０】
2019040312.tif 000012
【図１１】
2019040312.tif 000013
【図１２】
2019040312.tif 000014
【図１３】
2019040312.tif 000015
【図１４】
2019040312.tif 000016
【図１５】
2019040312.tif 000017
【図１６】
2019040312.tif 000018
【図１７】
2019040312.tif 000019